(57)【要約】【課題】  テスラコイルを利用すると物体を浮上させることがきる。しかし、テスラコイルは物体を浮上させるために発明されていないので、この目的に使用すると浮上させたり移動させたりできる範囲が限られる。また、浮上させたい物体に搭載して浮上させたり移動させたりすることもできないので、これらの不都合を解決すること。【解決手段】  テスラコイルと遠心力を発生する装置を組み合わせて、物体を浮上させて移動させる原動機にする。リング状のハウジングに取り付けた磁石に沿って別の複数の磁石を、リニアモーターカーの技術を利用して浮上させながら回転させて、移動させたい方向と反対方向の磁石にテスラコイルを利用して放電して遠心力が発生しないようにする。移動させたい方向に発生している遠心力を、原動機を移動させる力として利用してこの課題を解決する。【特許請求の範囲】
【請求項１】
超高電圧を利用して放電する装置と、遠心力を発生する装置を利用して、浮上する力と任意の方向に移動する力を自ら発生できるようにしたことを特徴とする原動機。
【請求項２】
超高電圧を利用して放電する装置と、遠心力を発生する装置を利用して、浮上する力と任意の方向に移動する力を自ら発生できるようにした原動機を搭載したことを特徴とする乗り物、輸送機。
【発明の詳細な説明】
【技術分野】
【０００１】  本発明は、浮上する力と移動する力を発生する原動機に関するものであり、現存の装置に工夫を加えることによって、原動機が浮上する力と任意の方向へ移動する力を発生できるように考案したものである。
【背景技術】
【０００２】  テスラコイルのように超高電圧を利用して放電する装置を用いると物体を浮上させることができる。超高電圧を利用して放電したことにより物体が浮上した例として、無線電送装置として発明されたテスラコイルの無線電送の実験がある。この装置は電線を使用せずに電気を送電することを目的とした装置であり、送電する際に超高電圧を発生する。この装置を使用した無線電送の実験中に、装置付近にあった物体が材質に関係なく放電されている範囲で浮上した。【０００３】  また、リニアモーターカーを浮上させながら走行させるための技術も利用する。
【発明の開示】
【発明が解決しようとする課題】
【０００４】  テスラコイルのように現存する超高電圧を利用して放電する装置は、物体を浮上させることを目的として発明されていないので、物体を任意の方向に移動させることができない。また、装置自体が地面に設置されているので装置自体を任意の方向へ浮上させたり移動させたりする力も発生しないし、装置自体を物体に搭載して浮上させたり移動させたりすることもできない。本発明は、テスラコイルと遠心力を発生する装置を利用して、物体を任意の方向へ浮上させたり移動させたりすることができる原動機にして、浮上させたい物体に搭載できるようにすることによって、この不都合を解決することを課題とする。
【課題を解決するための手段】
【０００５】  この課題を解決するための請求項１の発明は、テスラコイルと、遠心力を発生する装置を利用して、自ら浮上する力と移動する力を発生して、物体に搭載できるようにしたことを特徴とする原動機である。【０００６】  リニアモーターカーが浮上しながら走行する技術を利用して遠心力を発生させる。まず、テスラコイルを利用して放電し、浮上させて遠心力を発生させないようにするための金属製の物体と、この物体を浮上させるための磁石を取り付けた物体を複数用意する。この複数の物体をリング状のハウジングの内側に取り付けた磁石に沿って浮上させながら回転させて遠心力を発生させる。次に、超高電圧を利用して放電することができるテスラコイルを用いて、物体に遠心力を発生させないようにするために必要な超高電圧を、下方向に遠心力を発生している物体に取り付けた金属製の物体に、ハウジングの内側に固定した放電部から放電する。この超高電圧を利用した放電によって、テスラコイルの無線電送実験で物体が浮上した時のように物体を浮上させるようにすると、ハウジングに沿って物体が回転していても遠心力を弱くしたり発生させないようにすることができるから、ハウジングを下方向に移動させる力が弱くできたり発生させないようにすることができる。上方向の遠心力が発生している物体はハウジングを上方向へ移動させようとする力を発生している。遠心力が発生していない状態で、上方向に働く遠心力の大きさが原動機の重量を上回っていれば原動機は浮上する。この原動機を浮上させたい物体に搭載した場合は、原動機の重量と浮上させたい物体の重量を足した重量を上方向に働く遠心力が上回っていれば原動機は浮上する。この浮上させるための原動機を任意の方向に移動させるためには、同じ構造で大きさの異なるハウジングを、ジョイントを介して浮上させるためのハウジングの内側または外側に取り付け、移動したい方向に遠心力が働くようにモーターでハウジングの方向を変えることができるようにする。放電する範囲や物体の回転速度、ハウジングの向きの制御にコンピューターを用いて人間が操作することによって原動機が任意の方向に浮上する力と移動する力を発生することができるようになる。【０００７】  請求項２の発明は、テスラコイルと遠心力を発生する装置を利用して、任意の方向に浮上する力と移動する力を自ら発生できるようにした原動機を搭載した乗り物、輸送機である。コンピューターを用いて人間が放電する範囲や物体の回転速度、原動機の向きを制御することによって原動機が任意の方向に浮上する力と移動する力を発生するから、原動機を搭載した物体は共に移動する。
【発明の効果】
【０００８】  本発明により、物体を浮上させたり任意の方向に移動させたりすることができるようになるので、新しい交通手段や輸送手段の一つとして利用することができる。
【発明を実施するための最良の形態】
【０００９】  テスラコイルと遠心力を発生する装置を利用して、浮上する力と任意の方向に移動する力を自ら発生できるようにしたことを特徴とする原動機について説明していく。【００１０】  遠心力を発生させる装置について説明する。遠心力を発生させる装置には、リニアモーターカーを浮上させながら走行させるための技術を利用する。超高電圧を利用した放電によって遠心力を発生させないようにするための金属製の物体と、この金属製の物体をリング状のハウジングに沿って浮上させながら移動させるために使用する磁石を取り付けた複数の物体を、リング状のハウジングの内側に設置した磁石に沿って浮上させながら回転させて遠心力を発生させる。浮上しながら回転する物体はリニアモーターカーにあたり、リング状のハウジングは線路にあたる。ハウジングが物体の回転方向と反対方向に回転する力を発生しないようにするために、浮上させながら回転させる物体の列をハウジング内に複数列設置して、それぞれの列がハウジング内で反対方向に回転するようにしてハウジングが回転しないようにする。テスラコイルの無線電送実験中には材質にかかわりなく物体が浮上したが、本発明で放電して浮上させるために使う物体には、強度にすぐれる金属製の物体を使用する。リング状のハウジングの内側に沿って回転する物体は、ハウジングを外側へ押しやろうとする遠心力を発生する。この時、ハウジングの内側に沿って取り付けた磁石が発生する物体を浮上させながら回転させる力は、回転する物体が発生する遠心力に耐えて浮上しながら回転させることができる力を発生するようにする。ハウジングもこの遠心力に耐える強度を持つものにする。この遠心力を発生させるリング状の装置と同じ構造で大きさの異なる装置を、ジョイントを介して浮上させるための装置の内側または外側に複数取り付ける。この遠心力を発生させる大きさの異なる複数のリング状の装置どうしを連結するジョイントは、大きさの異なる他のリング状の装置に沿って３６０度回転させながら装置自体も３６０度回転させることができるものにする。遠心力は物体の回転速度を速めれば容易に大きくできるので、ハウジングは遠心力を働きやすくさせて浮上させたい物体に搭載しやすくするために適した大きさにする。本発明の原動機は、超高電圧を利用して放電し、遠心力を発生させないようにするための金属製の物体と、ハウジングに沿って浮上させながら回転させるために使用する磁石を組み付けた物体を、リニアモーターカーが浮上しながら走行するための技術を利用して物体を浮上させながらハウジングに沿って回転させて遠心力を発生させる。この遠心力を発生させるリング状の装置と構造が同じで大きさの異なる複数のリング状の装置を、ジョイントを介して連結し向きを変えることによって、ハウジングの中心から全ての方向に遠心力を発生させたり発生させないようにしたりすることができるようにする。【００１１】  次に、ハウジング内で回転している物体に浮上させる力を加えて遠心力が働かないようにするためのしくみについて説明する。テスラコイルのように超高電圧を利用して無線で放電する装置を用いて、物体に遠心力が働かないようにするために必要な超高電圧を発生し、下方向に遠心力が働いている物体に取り付けた金属製の物体付近に、ハウジングの内側に沿って取り付けた複数の放電部から放電する。この時、ハウジングに沿って浮上している物体の磁石に取り付けた金属製の物体にハウジングの内側から放電を行って、無線電送の実験中に物体が浮上した時の状態と同じ状態を作り出して物体を浮上させるようにする。超高電圧を利用した放電によって浮上しようとする物体は遠心力が弱まったまま、または遠心力を発生しないままハウジングに沿って浮上する力を持ちながら回転するから、ハウジングを下方向に動かそうとする力は弱くなったり発生しなくなったりする。上方向への遠心力を発生している物体は、ハウジングを上方向へ移動させようとする力を発生している。リング状のハウジングの上半分にある物体はすべて上方向へ力を発生しているのでこれらに放電を行う。超高電圧を利用した放電を行う範囲を変えることによって遠心力を弱めたり発生させなくさせたりできるので移動する方向を変えることができる。下方向に移動させるための遠心力を発生したい場合には上方向に遠心力を発生している物体に放電して、ハウジングを下方向に移動させようとする遠心力だけを利用する。本発明の原動機は、ロバート・ゼメキス監督の映画コンタクト（１９９７年）に出てくる異次元空間輸送装置と基本構造が似たものになる。異次元空間輸送装置の大きさを小さくして、リング状の複数のハウジング全てに超高電圧を利用して放電を行う放電部を設置すれば原動機の基本構造は完成である。異次元空間輸送装置は、大きさの異なるリング状の複数の装置を、ジョイントを介してそれぞれ回転させながらリングの中心の、一つの座標点へ全ての方向からエネルギーを送る構造になっているが、本発明の原動機では異次元空間輸送装置のリングにあたる遠心力を発生させるリング状の装置を、移動したい方向へ向けることによって任意の方向へ浮上させたり移動させたりできるようにする。【００１２】  原動機を浮上させる手順について説明する。まず、超高電圧を利用して放電することによって浮上させることができる物体の重さと同じ力の遠心力を、リング状の装置で発生させる。次に、下方向に遠心力が発生している、浮上しながら回転している物体に超高電圧を利用して放電して、下方向への遠心力を弱めたまま、または発生しないようにしたまま物体を回転させる。下方向への遠心力が発生していない状態で上方向に遠心力を発生している物体の力、すなわちハウジングを上方向に移動させようと働く遠心力が、原動機の重量を上回っていれば原動機は浮上する。また、この原動機を浮上させたい物体に搭載する場合は、ハウジングを上へ移動させようとする遠心力が原動機の重量と物体の重量を足した重量を上回っていれば物体は浮上するので、浮上させたい物体の重量の条件に合わせて原動機を設計する。この原動機を搭載して浮上させた物体を、浮上しながら回転している物体の回転方向と反対方向に回転させないようにするために、ハウジング内で回転する物体と反対方向に回転する物体の複数の列を全てのハウジング内に設ける。移動させたい物体を任意の方向に移動させるためには、浮上させるための装置と構造が同じで大きさの異なる装置を、装置の内側または外側にジョイントを���して設置して、移動したい方向に向きを変えて移動させたい方向と反対側の重りに放電して移動したい方向のみに遠心力が働くようにする。これによって任意の方向に移動する力を発生することができる。超高電圧を利用して放電する範囲、物体の回転速度、ハウジングの向きの制御にコンピューターを用いて人間が操作できるようにすることによって原動機を搭載した物体を任意の方向に移動させることができる。【００１３】  遠心力を発生させる装置を用いて浮上させたり移動させたりする力を発生する構造であれば、遠心力を発生させる方法に従来使用されているモーターを利用した構造の装置を用いてもよい。また、テスラコイルと同様の働きをする装置であれば、回転させる物体に遠心力を発生させないようにするための装置にテスラコイル以外の装置を使用してもよい。遠心力を発生させるリング状で大きさの異なる複数の装置を、ジョイントを使用して連結する本発明の原動機の基本構造は、ロバート・ゼメキス監督の映画コンタクト（１９９７年）の中に出てくる異次元空間輸送装置と似たものになり参考にできる。
【産業上の利用可能性】
【００１４】  本発明に係る原動機は、今後新たな交通手段、輸送手段として利用できるので、産業上の利用可能性を有する。